(57)【要約】【課題】スチール製のロック爪付き止着ピンをアルミニウム製の縦材に適切に溶接して固着でき、それによってスチール製の交差用筋違いを取り付けできるアルミニウム製足場用建枠を提供する。【解決手段】アルミニウム製足場用建枠において、各アルミニウム製縦材１の内側面所要部に、スチール製交差用筋違いの端部を着脱自在に止着するためのロック爪付き止着ピン６を取り付けるにあたり、一端部側にロック爪７を備えたスチール製止着ピン６の他端部側を、スチール製止着ピン６の外径より小さい内径のアルミニウム製円筒状スリーブ８に圧入し、このスリーブ８を、アルミニウム製縦材１に貫通して該縦材１に対しアルミニウム溶接をすることにより、スチール製ロック爪付き止着ピン６をアルミニウム製縦材１に取り付けてなるアルミニウム製足場用建枠３。【選択図】図１
2006022558.tif 000002
【特許請求の範囲】
【請求項１】
両側一対のアルミニウム製縦材にアルミニウム製横材を横架連結して形成されるアルミニウム製足場用建枠において、
前記各アルミニウム製縦材の内側面所要部に、スチール製交差用筋違いの端部を着脱自在に止着するためのロック爪付き止着ピンを取り付けるにあたり、一端部側にロック爪を備えたスチール製止着ピンの他端部側を、スチール製止着ピンの外径よりも小さい内径を有するアルミニウム製の円筒状スリーブに圧入し、このアルミニウム製円筒状スリーブを、前記アルミニウム製縦材にその直径方向に貫通させて、アルミニウム製縦材に対しアルミニウム溶接をすることにより、スチール製のロック爪付き止着ピンをアルミニウム製縦材に取り付けてなることを特徴とするアルミニウム製足場用建枠。
【請求項２】
請求項１に記載のアルミニウム製足場用建枠を一定間隔で対向配置し、両アルミニウム製足場用建枠の互いに対向するアルミニウム製縦材間には各縦材のスチール製止着ピンを介してスチール製の交差用筋違いをクロス状に掛張すると共に、対向する両アルミニウム製足場用建枠間に足場板を架け渡すことによって一段目足場が形成され、この一段目足場の各アルミニウム製足場用建枠に次のアルミニウム製足場用建枠を継ぎ足して、上記同様にスチール製交差用筋違いを掛張し、足場板を架け渡すことによって複数段の足場が形成されてなる足場装置。
【発明の詳細な説明】
【技術分野】
【０００１】
本発明は、建設業界において通称「ローリングタワー」と呼ばれている高所作業用足場装置を組み立てるのに使用されるアルミニウム製足場用建枠、及びこの足場用建枠を用いた足場装置に関するものである。
【背景技術】
【０００２】
図６の(a) はアルミ製のローリングタワーの正面図、(b) は側面図、(c) は一部拡大斜視図である。このローリングタワーは、(b) に示すように両側一対のアルミニウム製縦材１，１にアルミニウム製横材２を横架連結して形成されるアルミニウム製足場用建枠１３を、(a) に示すように一定間隔で対向配置し、対向する両アルミニウム製足場用建枠１３，１３の対向するアルミニウム製縦材１，１間にアルミニウム製の斜めブレース１５や水平ブレース１６を掛張すると共に、対向する両アルミニウム製足場用建枠１３，１３間に足場板４を架け渡すことによって、一段目の足場Ａを形成し、この一段目足場Ａの各アルミニウム製足場用建枠１３に夫々次のアルミニウム製足場用建枠１３を継ぎ足して、上記同様に対向する両アルミニウム製足場用建枠１３，１３の対向するアルミニウム製縦材１，１間に斜めブレース１５や水平ブレース１６を掛張すると共に、対向する両アルミニウム製足場用建枠１３，１３間に足場板４を架け渡して、二段目の足場Ｂを形成し、更に同様な方法で三段目の足場Ｃを形成したものである。
【０００３】
各ブレース１５，１６は、図６の(c) に示すように、アルミニウム製ブレース本体１７の両端部に同じくアルミニウム製のフック１８を設けてなるもので、足場組立時に各ブレース１５，１６のフック１８を足場用建枠３のアルミニウム製横材２に上方より係嵌して取り付けるようになっている。尚、図６の(a) の正面部において、斜めブレース１５が交差しているように見えるが、これは、各段の足場Ａ〜Ｃの左側面側に傾斜状に掛張された１本の斜めブレース１５と、反対側の右側面側に前記斜めブレース１５とは逆傾斜状に掛張された他の１本の斜めブレース１５とが重なって見えるからである。各段の足場Ａ〜Ｃにおいて、アルミニウム製の斜めブレース１５は、対向する両アルミニウム製足場用建枠１３，１３の対向するアルミニウム製縦材１，１間には２本の斜めブレース１５をクロス状に交差させて掛張できないのである。
【発明の開示】
【発明が解決しようとする課題】
【０００４】
従来にあっては、対向するアルミニウム製足場用建枠１３，１３を一定間隔で保持するのに、ブレース本体１７の両端部にフック１８を設けてなるアルミニウム製ブレース１５，１６を掛張していたが、このアルミニウム製ブレース１５，１６は、スチール製ブレースに比べコストが非常に高くつき、また強度的にもスチール製ブレースに劣ることから、アルミニウム製ブレースに代えて、安価で強度も十分なスチール製のブレースを使用することが望まれている。
【０００５】
そこで、本発明者は、スチール製ブレースの中でもコストが安く、しかも２本の筋違い（ブレース）を交差状に掛張できて足場用建枠を確実十分に補強し得るスチール製の交差用筋違いを取り付けることができるようにしたアルミニウム製足場用建枠の開発を試みた。この交差用筋違いは、鋼管製足場用建枠に普通に使用されるもので、その足場用建枠の鋼管製縦材の所要部に溶接によって取り付けられたスチール製ロック爪付き止着ピンに、スチール製筋違いの端部に設けた孔を挿通させてロック爪でロックすることにより、その筋違いの端部を止着するようにしたものである。
【０００６】
ところが、スチール製のロック爪付き止着ピンをアルミニウム製足場用建枠のアルミニウム製縦材に取り付けるにあたり、止着ピンは鉄製であるため、アルミニウム製の縦材には溶接することができないという問題に直面した。そこで、本発明者は、種々研究、検討を重ねた結果、スチール製のロック爪付き止着ピンをアルミニウム製の縦材に適切に溶接して固着することができ、それによってスチール製の交差用筋違いを取り付けることができるようにしたアルミニウム製足場用建枠を提供することを目的とする。
【課題を解決するための手段】
【０００７】
上記課題を解決するための手段を、後述する実施形態の参照符号を付して説明すると、請求項１に係る発明は、両側一対のアルミニウム製縦材１にアルミニウム製横材２を横架連結して形成されるアルミニウム製足場用建枠において、前記各アルミニウム製縦材１の内側面所要部に、スチール製交差用筋違い５の端部を着脱自在に止着するためのロック爪付き止着ピン６を取り付けるにあたり、一端部側にロック爪７を備えたスチール製止着ピン６の他端部側を、スチール製止着ピン６の外径よりも小さい内径を有するアルミニウム製の円筒状スリーブ８に圧入し、このアルミニウム製円筒状スリーブ８を、前記アルミニウム製縦材１にその直径方向に貫通させて、アルミニウム製縦材１に対しアルミニウム溶接をすることにより、スチール製のロック爪付き止着ピン６をアルミニウム製縦材１に取り付けてなることを特徴とする。
【０００８】
請求項２に係る発明の足場装置は、請求項１に記載のアルミニウム製足場用建枠３を一定間隔で対向配置し、両アルミニウム製足場用建枠３，３の互いに対向するアルミニウム製縦材１，１間には各縦材１のスチール製止着ピン６を介してスチール製の交差用筋違い５をクロス状に掛張すると共に、対向する両アルミニウム製足場用建枠３，３間に足場板４を架け渡すことによって一段目足場Ａが形成され、この一段目足場Ａの各アルミニウム製足場用建枠３に次のアルミニウム製足場用建枠３を継ぎ足して、上記同様にスチール製交差用筋違い５を掛張し、足場板４を架け渡すことによって複数段の足場Ａ〜Ｄが形成されてなることを特徴とする。
【発明の効果】
【０００９】
上記解決手段による発明の効果を、後述する実施形態の参照符号を付して説明すると、請求項１に係る発明のアルミニウム製足場用建枠によれば、アルミニウム製縦材１の内側面所要部に、スチール製交差用筋違い５の端部を着脱自在に止着するためのロック爪付き止着ピン６を取り付けるにあたり、一端部側にロック爪７を備えたスチール製止着ピン６の他端部側を、スチール製止着ピン６の外径よりも小さい内径を有するアルミニウム製円筒状スリーブ８に圧入し、このアルミニウム製円筒状スリーブ８を、アルミニウム製縦材１にその直径方向に貫通させて、アルミニウム製縦材１に対しアルミニウム溶接をするようにしたから、スチール製ブレースの中でもコストが安く、また対向する両足場用建枠３，３の対向する縦材１，１に対し交差状に掛張できて、足場用建枠３を確実十分に補強し得るスチール製の交差用筋違い５を、アルミニウム製足場用建枠３の縦材１に簡単容易に取付けできることになる。
【００１０】
請求項２に係る発明の足場装置によれば、従来ではローリングタワーのような足場装置を構成する足場用建枠及びブレースの全てにアルミニウム製のものが使用されるのに対し、足場用建枠３についてはアルミニウム製のものを使用するが、ブレースである筋違い５にはアルミニウム製に比べて格安のスチール製のものを使用するから、足場装置全体のコストを安くすることができる。また、ブレースである筋違い５は、交差用筋違い５であって、両アルミニウム製足場用建枠３，３の対向するアルミニウム製縦材１，１間に２つの筋違い５，５をクロス状に交差して掛張されるから、足場用建枠３を確実十分に補強することができて、頑強な足場装置を形成することができる。
【発明を実施するための最良の形態】
【００１１】
以下に本発明の好適な実施形態を添付図面に基づいて説明すると、図１の(a) は本発明に係るアルミニウム製足場用建枠３を示す正面図、(b) は(a) の矢印Ｘで囲まれる部分の拡大図である。このアルミニウム製足場用建枠３は、両側一対のアルミニウム製縦材１，１と、両縦材１，１間に横架連結された複数のアルミニウム製横材２とにより構成され、各縦材１及び各横材２は夫々アルミニウムパイプからなり、各縦材１の上端部には足場用建枠３を継ぎ足す際に上段側縦枠３の縦材１の下端部内に嵌合させて両縦材１，１同士を接続するための接続軸部１ａが形成されている。そして、各縦材１にはその内側面の上下両端部に、スチール製交差用筋違い５の端部を着脱自在に止着するためのスチール製のロック爪付き止着ピン６が取り付けられており、このスチール製ロック爪付き止着ピン６の取付構造を拡大図示したものが図１の(b) である。
【００１２】
次に、上記スチール製ロック爪付き止着ピン５をアルミニウム製足場用建枠３の縦材１に取り付ける方法について図２及び図３を参照して説明する。この止着ピン６は、図１の(b) に示すように常時はバネ（図示せず）により付勢されてピン６の外側面から突出する略三角形状の鉄製のロック爪７を一端部側に備えた鉄製の棒状ピンである。
【００１３】
このスチール製ロック爪付き止着ピン５をアルミニウム製足場用建枠３の縦材１に取り付けるにあたって、先ず、図２の(a) 〜(c) に示すように、一端部側にロック爪７を備えたスチール製止着ピン６の他端部側を、この止着ピン６の外径（例えば１３ｍｍ）よりも小さい内径（例えば１６ｍｍ）を有するアルミニウム製の円筒状スリーブ８に圧入する。円筒状スリーブ８は上記のような内径を有するアルミニウムパイプを、足場用建枠３の縦材１の直径よりも所要長さだけ長くなるようにカットされたものである。図２の(b) は止着ピン６を円筒状スリーブ８にその途中まで圧入した状態を示すもので、止着ピン６が圧入されたスリーブ８の部分は拡径しているのが分かる。同図の(c) は円筒状スリーブ８の全長に亘って止着ピン６が圧入されて、圧入を終了した状態を示す。
【００１４】
上記のように止着ピン６が圧入されて外径が拡径した円筒状スリーブ８を、図３の(a)
に示すように、アルミニウム製縦材１の所定箇所を縦材１の直径方向に貫通する貫通孔９に通して、スリーブ８の両端部が夫々同じ長さだけ縦材１の両側面から突出した状態とする。尚、縦材１の貫通孔９は、止着ピン６が圧入された円筒状スリーブ８を挿通させ得る程度の孔であればよいから、この円筒状スリーブ８の外径よりも僅かに大きく形成されている。
【００１５】
こうしてアルミニウム製縦材１の貫通孔９に貫通させたアルミニウム製円筒状スリーブ８の両端部を夫々アルミニウム製縦材１に対し図３の(b) に示すようにアルミニウム溶接し、これによってスチール製のロック爪付き止着ピン６をアルミニウム製の縦材１に対し一体的に固着させる。図中には、そのアルミニウム溶接部をＡＷで示す。
【００１６】
上記のように、アルミニウム製縦材１の内側面所要部に、スチール製交差用筋違い５の端部を着脱自在に止着するためのロック爪付き止着ピン６を取り付けるにあたり、一端部側にロック爪７を備えたスチール製止着ピン６の他端部側を、スチール製止着ピン６の外径よりも小さい内径を有するアルミニウム製円筒状スリーブ８に圧入し、このアルミニウム製円筒状スリーブ８を、アルミニウム製縦材１にその直径方向に貫通させて、アルミニウム製縦材１に対しアルミニウム溶接をすることによって、スチール製ブレースの中でもコストが安く、また対向する両足場用建枠３，３の対向する縦材１，１に対し交差状に掛張できて、足場用建枠３を確実十分に補強し得るスチール製の交差用筋違い５を、アルミニウム製足場用建枠３の縦材１に取り付けることができるようになる。
【００１７】
図４はスチール製交差用筋違い５をアルミニウム製足場用建枠３の縦材１に取り付けた状態を示す。即ち、スチール製の交差用筋違い５は、例えば鉄製の丸棒状本体５ａと、この丸棒状本体６５ａの両端部に一体形成された扁平状の取付端部５ｂ，５ｂとからなるもので、各扁平状の取付端部５ｂには足場用建枠３の縦材１側に突出するロック爪付き止着ピン６に挿通する孔５ｃが設けてある。しかして、このスチール製交差用筋違い５を縦材１に取り付けるには、縦材１側に突出する止着ピン６のロック爪７を押さえ付けて引っ込めた状態の止着ピン６に筋違い５の取付端部５ｂの孔５ｃを挿通させ、挿通させた後はロック爪７が突出状態に復帰するから、このロック爪７によってロックされる。
【００１８】
図５の(a) は上記のような本発明に係るアルミニウム製足場用建枠３を使用して組み立てたローリングタワー（高所作業用の足場装置）を示す正面図、(b) は側面図である。
【００１９】
このローリングタワーを組み立てるには、図１の(a) に示すような本発明に係るアルミニウム製足場用建枠３を、図５の(a) に示すように左右に一定間隔で対向配置し、対向する両アルミニウム製足場用建枠３，３の対向するアルミニウム製縦材１，１間に、アルミニウム製筋違い５を、図５の(a) 及び(b) に示すうようにクロス状に交差するようにして掛張すると共に、対向する両アルミニウム製足場用建枠３，３間に足場板４を架け渡し、これによって一段目の足場Ａを形成する。この一段目の足場Ａには図５の(a) 及び(b) に示すようにアウトリガー１０を取り付ける。
【００２０】
上記一段目足場Ａを形成する各アルミニウム製足場用建枠３の上端部に上段側アルミニウム製足場用建枠１３を継ぎ足して、対向する両アルミニウム製足場用建枠３，３の対向するアルミニウム製縦材１，１間にアルミニウム製筋違い５をクロス状に交差するようにして掛張すると共に、対向する両アルミニウム製足場用建枠３，３間に足場板４を架け渡すことによって二段目の足場Ｂを形成する。以降も同様な要領で、三段目足場Ｃ更に四段目足場Ｄを形成して、図５の(a) 及び(b) に示すような高所作業用足場装置であるローリングタワーを組み立てる。尚、図５の(a) 及び(b) において、１１は最上段足場Ｄに設けられた壁当て部材で、先端の当接片１１ａ側が伸縮自在となっており、この当接片１１ａを構造物の壁面に当接支持させて、ローリングタワーの倒れ防止を図っている。
【００２１】
上記のように組み立てられるローリングタワー（高所作業用足場装置）によれば、従来ではタワーを構成する足場用建枠及びブレースの全てにアルミニウム製のものが使用されるのに対し、足場用建枠３についてはアルミニウム製のものを使用するが、ブレースである筋違い５にはアルミニウム製に比べて格安のスチール製のものを使用しているために、ローリングタワー全体のコストを安くすることができる。また、ブレースである筋違い５は、交差用の筋違い５であって、両アルミニウム製足場用建枠３，３の対向するアルミニウム製縦材１，１間に２つの筋違い５，５をクロス状に交差するように掛張されるから、足場用建枠３を確実十分に補強することができて、頑強なローリングタワーをできる。
【図面の簡単な説明】
【００２２】
【図１】(a) は本発明に係るアルミニウム製足場用建枠の正面図、(b) は(a) の矢印Ｘで囲まれる部分の拡大図である。
【図２】(a) 〜(c) はスチール製のロック爪付き止着ピンをアルミニウム製足場用建枠の縦材に取り付ける工程の前半部を説明する説明図である。
【図３】(a) 及び(b) は上記工程の後半部を説明する説明図である。
【図４】スチール製交差用筋違いをアルミニウム製足場用建枠の縦材に取り付けた状態の斜視図である。
【図５】(a) は本発明のアルミニウム製足場用建枠を使用して組み立てたローリングタワーの正面図、(b) は側面図である。
【図６】(a) は従来のアルミニウム製足場用建枠を使用して組み立てられたローリングタワーの正面図、(b) は側面図、(c) は一部拡大斜視図である。
【符号の説明】
【００２３】
１            縦材
２            横材
３            アルミニウム製足場用建枠
４            足場板
５            スチール製交差用筋違い
６            ロック爪付き止着ピン
７            ロック爪
８            アルミニウム製円筒状スリーブ
ＡＷ          アルミニウム溶接部
【図１】
2006022558.tif 000003
【図２】
2006022558.tif 000004
【図３】
2006022558.tif 000005
【図４】
2006022558.tif 000006
【図５】
2006022558.tif 000007
【図６】
2006022558.tif 000008